(57)【特許請求の範囲】
【請求項１】
予め定められたデータ量の単位毎にその位置を識別する識別情報が付与され、該識別情報の値に応じた初期値に基づいて、該識別情報により識別される該データがスクランブルされてスパイラル状または同心円状に形成された円盤状の記録担体であって、
該初期値は該記録担体の最内周における円周の長さ以内で値が変えられ、該データは該初期値に基づく最大長周期系列でスクランブルされている、記録担体。
【請求項２】
予め定められたデータ量の単位毎にその位置を識別する識別情報を付与し、該識別情報の値に応じた初期値に基づいて、該識別情報により識別される該データをスクランブルして円盤状の記録担体上にスパイラル状または同心円状に記録する情報記録方法であって、
該識別情報に応じて該記録担体の最内周における円周の長さ以内で値が変わる初期値を発生する工程と、
該初期値に基づいて最大長周期系列を発生する工程と、
該最大長周期系列で該識別情報により識別される該データをスクランブルするスクランブル工程と、
該識別情報と該スクランブルされたデータとを誤り訂正可能な符号語に変換する工程と、
該誤り訂正可能な符号語に基づいて前記記録担体上に情報を記録する工程と、
を包含する、情報記録方法。
【請求項３】
予め定められたデータ量の単位毎にその位置を識別する識別情報を付与し、該識別情報の値に応じた初期値に基づいて、該識別情報により識別される該データをスクランブルして円盤状の記録担体上にスパイラル状または同心円状に記録する情報記録装置であって、
該識別情報に応じて、該記録担体の最内周における円周の長さ以内で値が変わる初期値を発生する初期値発生手段と、
該初期値発生手段からの初期値に基づいて最大長周期系列を発生する最大長周期系列発生手段と、
該最大長周期系列発生手段からの最大長周期系列で該識別情報により識別される該データをスクランブルするスクランブル手段と、
該識別情報と該スクランブルされたデータとを誤り訂正可能な符号語に変換する誤り訂正符号生成手段と、
該誤り訂正符号生成手段からの符号語に基づいて該記録担体上に情報を記録する記録手段と、
を備える、情報記録装置。
【請求項４】
予め定められたデータ量の単位毎にその位置を識別する識別情報が付与され、該識別情報の値に応じた初期値に基づいて、該識別情報により識別される該データがスクランブルされてスパイラル状または同心円状に形成された円盤状の記録担体より情報を再生する情報再生方法であって、
該データは、該データの位置を識別するための該識別情報に応じて、該記録担体の最内周における円周の長さ以内で値が変わる初期値に基づいた最大長周期系列でスクランブルされ、該識別情報とスクランブルされた該データは誤り訂正可能な符号語に変換された形式で記録されていて、
該方法は、
該記録担体から再生された再生信号を復調して復調信号を生成する工程と、
該復調信号に含まれる誤りを訂正して訂正済み情報を生成する工程と、
該訂正済み情報に含まれる該識別情報に基づいて初期値を生成する工程と、
該初期値に基づいてデスクランブルするための最大長周期系列を生成する工程と、
該最大長周期系列で該データをデスクランブルする工程と、
を包含する、情報再生方法。
【請求項５】
予め定められたデータ量の単位毎にその位置を識別する識別情報が付与され、該識別情報の値に応じた初期値に基づいて、該識別情報により識別される該データがスクランブルされてスパイラル状または同心円状に形成された円盤状の記録担体より情報を再生する情報再生装置であって、
該データは、該データの位置を識別するための該識別情報に応じて、該記録担体の最内周における円周の長さ以内で値が変わる初期値に基づいた最大長周期系列でスクランブルされ、該識別情報とスクランブルされた該データは誤り訂正可能な符号語に変換された形式で記録されていて、
該装置は、
該記録担体から再生された再生信号を復調して復調信号を生成する復調手段と、
該復調信号に含まれる誤りを訂正して訂正済み情報を生成する誤り訂正手段と、
該訂正済み情報に含まれる該識別情報に基づいて初期値を生成する初期値生成手段と、
該初期値に基づいてデスクランブルするための最大長周期系列を生成する最大長周期系列生成手段と、
該最大長周期系列で該データをデスクランブルするデスクランブル手段と、
を備える、情報再生装置。
【発明の詳細な説明】
【０００１】
【発明の属する技術分野】
本発明は、収束された光ビームを照射して情報の読み取りを行う光学式情報記録担体及び光学式情報記録方法、並びにそれらを利用した光学式情報記録装置及び光学式情報再生装置に関する。
【０００２】
【従来の技術】
近年、再生専用の光学式情報記録担体（以下、記録担体と呼ぶ）は、大容量のデータを保持し、再生できることから、音声情報データ・映像情報データ等の各種情報データの媒体として重要な地位を占めつつある。記録担体のさらなる大容量化、あるいは記録担体を使用した光学式情報再生装置の小型化が求められており、これらの要求を満たすためには、記録担体上における情報の記録密度をさらに向上させる必要がある。
【０００３】
従来の記録担体では、円盤状の樹脂基板の表面にピットよりなる情報トラック（以下、単にトラックと称する）がスパイラル状あるいは同心円状に形成されている。さらに、トラックが設けられている基板の表面（情報担体面という）の上には、スパッタリング等の手法で、アルミニウム等からなる反射膜が設けられている。なお、以下の説明では、スパイラル状の１本のトラックであっても、記録担体の中心から異なった半径位置にある部分に言及する場合には、簡単のために複数のトラックとして扱う。
【０００４】
この種の記録担体から情報を再生するには、半導体レーザから発生した光ビームを記録担体に照射し、その情報担体面上で収束させる。記録担体上の光ビームがトラック上に位置するように制御するトラッキング制御を実行しながら、記録担体からの反射光を検知する。反射光の光量は、記録担体上に情報に対応して形成されたピットによって変化するので、その光量の変化を検出することによって、記録されている情報の読み取りを行う。
【０００５】
トラッキング制御の制御信号、すなわち記録担体上の光ビームとトラックとの位置ずれ（トラックずれという）に対応したトラックずれ信号の検出方法としては、位相差法及び３ビーム法が知られている。
【０００６】
このうち、位相差法は、検出面においてトラック方向及びトラック幅方向にそって十字に４分割して配置された光検出器で記録担体からの反射光を受光し、相対する検出器の出力の和信号の位相差より、トラックずれ信号を検出する。位相差法は、例えば、特開昭５２−９３２２２号公報や特開昭６２−２０１４５号公報に開示されている。
【０００７】
また、３ビーム法では、読み取り用ビーム及び２つの補助ビームの計３つの光ビームを記録担体上に照射し、記録担体からの反射光を光検出器でそれぞれ検出する。そして、２つの補助ビームの反射光の光量差より、トラックずれ信号を検出する。３ビーム法は、例えば、特公昭５３−１３１２３号公報に開示されている。
【０００８】
【発明が解決しようとする課題】
記録担体上の情報記録密度は、トラックのピッチ、及びトラック方向の情報密度（すなわち情報の線密度）で決まる。しかしながら、トラックのピッチを狭くすると、隣接するトラックからのクロストークが増大する。特に、あるトラックに記録されている信号と、それに隣接するトラックに記録されている信号との間の相関性が強いと、トラックずれ信号に疑似的な信号が発生して、トラッキング制御が安定しないことがある。例えば、ピットが同じ空間周波数で数周のトラックに渡って記録されている場合には、光ビームが位置しているトラックの信号と両隣接トラックに記録されている信号との間で相関性が非常に強くなり、隣接トラックからのクロストークによりトラックずれ信号が乱され、トラッキング制御が不安定となる。
【０００９】
記録担体上にディジタル画像を記録する場合を考えると、記録すべき情報には静止画像と動画像とがある。動画像を記録する場合には、記録される情報は時間と共に様々に変化するので問題は発生しない。しかし、静止画像を記録する場合には、同じ画像（同じ情報）が数周のトラックに渡って記録されることがある。その場合には、隣接するトラック間でお互いに相関の強い信号が記録されることになり、そこでトラッキング制御が不安定となる。
【００１０】
コンピュータ等のデータを記録する場合を考えると、記録担体の外周部あるいは内周部の数周分のトラックが、一般にコントロール領域として使用される。コントロール領域に記録されるコントロールデータは、記録担体の記録内容に関する情報を含んでいる。このコントロール領域において、情報が記録されない空き領域には、例えば１６進表示で「ＦＦ」等のデータが一様に記録される。この場合にも、同じ情報が数周のトラックに渡って記録されることがあり、隣接するトラック間でお互いに相関の強い信号が記録されて、その箇所でトラッキング制御が不安定となる。
【００１１】
トラッキング制御の制御帯域は一般的に数ｋＨｚ程度であり、この制御帯域内で相関性の強い場所が存在すると、そこでトラッキング制御が乱れる。例えば、記録担体の回転数が１８００ｒｐｍである場合、半径３５ｍｍの位置では、数ｍｍに渡って相関の強い場所が存在するとトラッキング制御が乱れる。
【００１２】
本発明は上記課題を解決するためになされたものであり、その目的は、トラックピッチを狭めても良好なトラックずれ信号が得られる光学式情報記録担体及び光学式情報記録方法、並びにそれらを使用した光学式情報記録装置及び光学式情報再生装置を提供することである。
【００１３】
【課題を解決するための手段】
本発明の光学式情報記録担体は、連続的に配置されたセクタよりなるスパイラル状のトラックを備えた円盤状の光学式情報記録担体であって、該セクタは、位置を識別するための連続的なセクタ番号とデータとを含み、該セクタ内の該データは、該セクタ番号を２進数で表示した値の下位ｎビット以上の値（ｎは２以上の整数）に対応して変えられる値を初期値とするスクランブルデータ列によりスクランブルされた結果として得られたデータであり、そのことによって上記目的が達成される。
【００１４】
ｎは、２ｎの値が最内周トラックの１周あたりのセクタ数よりも小さい２以上の整数であり得る。
【００１５】
本発明の光学式情報記録方法は、円盤状の基板上に、スパイラル状にセクタ単位で、該セクタの位置を識別するための連続的なセクタ番号とデータとを記録する光学式情報記録方法であって、該方法は、該セクタ番号の２進数値の下位ｎビット以上の値（ｎは２以上の整数）に対応して変えられる値を初期値とするスクランブルデータ列に基づいて、該セクタ内に記録するデータをスクランブルするスクランブル工程と、該スクランブルされた情報を記録する記録工程と、を包含し、そのことによって上記目的が達成される。
【００１６】
ｎは、２ｎの値が最内周トラックの１周あたりのセクタ数よりも小さい２以上の整数であり得る。
【００１７】
本発明の光学式情報記録装置は、円盤状の基板上に、スパイラル状にセクタ単位で、該セクタの位置を識別するための連続的なセクタ番号とデータとを記録する光学式情報記録装置であって、該装置は、記録する該セクタ番号の２進数値の下位ｎビット以上の値（ｎは２以上の整数）に対応して変わる値を発生する初期値発生手段と、該初期値発生手段からの該値を初期値とするスクランブルデータ列を発生するスクランブルデータ列発生手段と、該スクランブルデータ列発生手段からの該スクランブルデータ列を用いて、該セクタ内に記録するデータをスクランブルするスクランブル手段と、該スクランブル手段よりのデータを記録する記録手段と、を備えており、そのことによって上記目的が達成される。
【００１８】
ｎは、２ｎの値が最内周トラックの１周あたりのセクタ数よりも小さい２以上の整数であり得る。
【００１９】
本発明の他の局面による光学式情報記録装置は、円盤状の基板上に、スパイラル状または同心円状に、セクタ単位で情報を記録する光学式情報記録装置であって、該装置は、記録する該セクタの位置を識別する識別情報の値に応じた値を発生する初期値発生手段と、該初期値発生手段からの該値を初期値とするスクランブルデータ列を発生するスクランブルデータ列発生手段と、該スクランブルデータ列発生手段からの該スクランブルデータ列を用いて、該セクタ内に記録するデータをスクランブルするスクランブル手段と、該識別情報と該スクランブルされたデータとにパリティデータを付加して誤り訂正可能な符号語に変換する誤り訂正符号生成手段と、該誤り訂正符号生成手段により変換された符号語を記録する記録手段と、を備えており、そのことによって上記目的が達成される。
【００２０】
前記初期値は、周方向に連続する所定個のセクタ毎に変えられ得る。
【００２１】
前記初期値は、２ｎ個（ｎは正の整数）のセクタ毎に変えられ得る。
【００２２】
前記初期値は、最内周トラックの１周あたりのセクタ数よりも少ない数のセクタ毎に変えられ得る。
【００２３】
本発明のさらに他の局面による光学式情報記録装置は、円盤状の基板上に、スパイラル状または同心円状に、セクタ単位で情報を記録する光学式情報記録装置であって、該装置は、記録する該セクタの位置を識別する識別情報の値に応じた値を発生する初期値発生手段と、該初期値発生手段からの該値を初期値とするスクランブルデータ列を発生するスクランブルデータ列発生手段と、該スクランブルデータ列発生手段からの該スクランブルデータ列を用いて、該セクタ内に記録するデータをスクランブルするスクランブル手段と、該スクランブル手段よりのデータを記録する記録手段と、を備えており、該初期値は、最内周トラックの１周あたりのセクタ数よりも少ない数のセクタ毎に変えられ、そのことによって上記目的が達成される。
【００２４】
本発明の光学式情報再生装置は、連続的に配置されたセクタよりなるスパイラル状のトラックを備えた円盤状の光学式情報記録担体に記録されている情報を再生する光学式情報再生装置であって、該セクタには、連続的なセクタ番号と、該セクタ番号の値に応じた初期値に基づいてスクランブルされた情報と、が記録されていて、該装置は、該光学式情報記録担体から再生された再生信号を復調して復調信号を生成する復調手段と、該復調信号より該セクタ番号を読み取るセクタ番号読み取り手段と、読み取った該セクタ番号の２進数値の下位ｎビット以上の値（ｎは２以上の整数）に対応して変わる値を発生する初期値発生手段と、該初期値発生手段からの該値を初期値とするデスクランブルデータ列を発生するデスクランブルデータ列発生手段と、該デスクランブルデータ列発生手段からの該デスクランブルデータ列を用いて、該復調手段からの復調データをデスクランブルするデスクランブル手段と、を備えており、そのことによって上記目的が達成される。
【００２５】
ｎは、２ｎの値が最内周トラックの１周あたりのセクタ数よりも小さい２以上の整数であり得る。
【００２６】
本発明のさらに他の局面によって提供される光学式情報記録担体は、円盤状の基板と、該基板の表面にスパイラル状または同心円状に形成された少なくとも一つのトラックと、を備えた光学式情報記録担体であって、該トラックは複数の連続的に配置されたセクタを含み、該複数のセクタには、セクタ位置を識別する識別情報の値に応じた初期値に基づいてスクランブルされた情報が記録されており、そのことにより上記目的が達成される。
【００２７】
ある実施形態では、前記トラックがスパイラル状に形成されており、該トラックに含まれる前記複数のセクタのそれぞれには前記セクタ位置を識別する連続的なセクタ番号が付与されていて、該セクタ番号を前記識別情報として利用する。
【００２８】
他の実施形態では、前記初期値は、周方向に連続する所定個のセクタ毎に変えられている。
【００２９】
さらに他の実施形態では、前記初期値は、２ｎ個（ｎは正の整数）のセクタ毎に変えられている。
【００３０】
さらに他の実施形態では、前記初期値は、最内周トラックの１周あたりのセクタ数よりも少ない数のセクタ毎に変えられている。
【００３１】
本発明のさらに他の局面によって提供される光学式情報記録方法は、円盤状の基板の表面にスパイラル状または同心円状に形成された少なくとも一つのトラックに情報を記録する光学式情報記録方法であって、該トラックは複数の連続的に配置されたセクタを含み、該方法は、セクタ位置を識別する識別情報の値に応じた初期値に基づいて情報をスクランブルするスクランブル工程と、該複数のセクタに該スクランブルされた情報を記録する記録工程と、を包含しており、そのことにより上記目的が達成される。
【００３２】
ある実施形態では、前記トラックがスパイラル状に形成されており、該トラックに含まれる前記複数のセクタのそれぞれには前記セクタ位置を識別する連続的なセクタ番号が付与されていて、該セクタ番号に対応する値を初期値とするシフトレジスタ系列に基づいて前記情報をスクランブルする。
【００３３】
他の実施形態では、前記初期値は、周方向に連続する所定個のセクタ毎に変えられている。
【００３４】
さらに他の実施形態では、前記初期値は、２ｎ個（ｎは正の整数）のセクタ毎に変えられている。
【００３５】
さらに他の実施形態では、前記初期値は、最内周トラックの１周あたりのセクタ数よりも少ない数のセクタ毎に変えられている。
【００３６】
さらに他の実施形態では、前記スクランブル工程は、前記情報を前記複数のセクタに対応して分割する工程と、該分割された情報のそれぞれを、前記識別情報の値に応じた前記初期値に基づいてスクランブルする工程と、該識別情報と該スクランブルされた情報とを誤り訂正可能な符号語に変換する工程と、を包含し、前記記録工程では、該符号語に変換された情報が該複数のセクタのそれぞれに記録されている。
【００３７】
さらに他の実施形態では、前記スクランブル工程は、前記情報を前記複数のセクタに対応して分割する工程と、前記識別情報と該分割された情報とを誤り訂正可能な符号語に変換する工程と、該符号語のそれぞれを、該識別情報の値に応じた前記初期値に基づいてスクランブルする工程と、を包含し、前記記録工程では、該スクランブルされた符号語の形式で該情報が該複数のセクタのそれぞれに記録されている。
【００３８】
本発明のさらに他の局面によって提供される光学式情報再生装置は、円盤状の基板の表面にスパイラル状または同心円状に形成された少なくとも一つのトラックを備える光学式情報記録担体に記録されている情報を再生する光学式記録再生装置であって、該トラックは複数の連続的に配置されたセクタを含み、該情報は、該複数のセクタに、セクタ位置を識別する識別情報の値に応じた初期値に基づいてスクランブルされた形式で記録されていて、該装置は、該光学式記録担体から再生された再生信号を復調して復調信号を生成する復調手段と、該復調信号より該識別情報を読み取る識別情報読み取り手段と、該識別情報読み取り手段で読み取った該識別情報に対応した値を生成する初期値発生手段と、該復調信号に基づいてデスクランブルを開始するタイミングを示すタイミング信号を発生するタイミング信号発生手段と、該タイミング信号に応答して、該初期値発生手段が生成した値を該初期値としてデスクランブルのための符号を生成するデスクランブル符号発生器と、該デスクランブル符号発生器が生成する符号に基づいて該復調信号をデスクランブルするデスクランブル手段と、を備えており、そのことにより上記目的が達成される。
【００３９】
本発明のさらに他の局面によって提供される光学式情報再生装置は、円盤状の基板の表面にスパイラル状または同心円状に形成された少なくとも一つのトラックを備える光学式情報記録担体に記録されている情報を再生する光学式記録再生装置であって、該トラックは複数の連続的に配置されたセクタを含み、該情報は、該複数のセクタに、セクタ位置を識別する識別情報の値に応じた初期値に基づいてスクランブルされた形式で記録されていて、該装置は、該光学式記録担体から再生された再生信号を復調して復調信号を生成する復調手段と、該復調信号に含まれる誤りを訂正して訂正済み情報を生成する誤り訂正手段と、該訂正済み情報から該識別情報を読み取る識別情報読み取り手段と、該識別情報読み取り手段で読み取った該識別情報に対応した値を生成する初期値発生手段と、該訂正済み情報に基づいてデスクランブルを開始するタイミングを示すタイミング信号を発生するタイミング信号発生手段と、該タイミング信号に応答して、該初期値発生手段が生成した値を該初期値としてデスクランブルのための符号を生成するデスクランブル符号発生器と、該デスクランブル符号発生器が生成する符号に基づいて該訂正済み情報をデスクランブルするデスクランブル手段と、を備えており、そのことにより上記目的が達成される。
【００４０】
以下に、本発明の作用を説明する。
【００４１】
本発明の光学式情報記録担体、光学式情報記録方法、光学式情報記録装置、及び光学式情報再生装置では、円盤状の基板の表面にスパイラル状または同心円状に形成された少なくともトラックに含まれる複数のセクタに、セクタ位置を識別する識別情報の値に応じた初期値に基づいてスクランブルされた情報を記録する。これによって、スクランブル処理が施されてランダム化されたデータが記録担体上に記録される。隣接するトラック間にはお互いに異なったデータが記録されることになるので、それらの間での信号の相関が低減される。このため、クロストークの影響がランダム化されてトラックずれ信号に与える影響が低減され、トラックピッチを狭めても安定したトラッキング制御を行うことができる。
【００４２】
情報のスクランブル化に際して使用する識別情報としては、例えば、複数のセクタのそれぞれに付与されているセクタ番号を使用することができる。セクタ番号は、データの記録に際して必然的に必要になるものであるので、識別情報として容易に使用できる。また、識別情報を生成するための回路などをあらためて設ける必要がない。
【００４３】
スクランブル化の際の初期値を周方向に連続する所定数のセクタ毎に変えれば、同じ内容のデータを連続して記録する場合でも、スクランブル処理が施されてランダム化されたデータが記録担体上に記録される。
【００４４】
初期値を２ｎ個（ｎは正の整数）のセクタ毎に変えれば、初期値発生回路の構成を簡略化できる。
【００４５】
初期値を、最内周トラックの１周あたりのセクタ数よりも少ない数のセクタ毎に変えれば、最内周部に同じ内容の情報が連続的に記録される場合であっても、実際に記録されるデータが確実にランダム化される。
【００４６】
スクランブルされた情報の記録にあたって、まず情報を複数のセクタに対応して分割し、分割された情報のそれぞれを識別情報の値に応じた初期値に基づいてスクランブル化した後に、識別情報とスクランブルされた情報とを誤り訂正可能な符号語に変換してもよい。この場合には、符号語に変換された情報が複数のセクタのそれぞれに記録される。これにより、光学式情報記録担体から情報を読み取る際に、エラー訂正を行った後にアドレスを読み取るので、アドレスの読み取りに要する時間が若干長くなるものの、ドロップアウト等によって情報にエラーが生じても正しく訂正される。従って、極めて信頼性よくアドレスを読み取ることができ、確実にデスクランブルすることができる。
【００４７】
あるいは、スクランブルされた情報の記録にあたって、情報を複数のセクタに対応して分割した後に、スクランブル処理に先立って識別情報と分割された情報とを誤り訂正可能な符号語に変換し、得られた符号語のうち識別情報を除いた部分を、それぞれの識別情報の値に応じた初期値に基づいてスクランブル化してもよい。これにより、光学式情報記録担体から情報を読み取る際に、復調を行うだけでアドレスを読み取ることができ、従って高速な検索が行え、アドレスを読みとるのに大容量のメモリを必要としない。
【００４８】
【発明の実施の形態】
（第１の実施形態）
以下、図１〜１０を参照して、本発明の第１の実施形態を説明する。
【００４９】
図１は、本発明の記録担体の概略平面図である。円盤状の記録担体１０１の表面上には、ピットの形態で情報が記録されたトラック１０２がスパイラル状に設けられている。情報は、トラック１０２の上の単位長さ当りの情報密度、すなわち線密度が記録担体１０１上の半径方向の位置に関係なく一定となるようなＣＬＶ（Ｃｏｎｓｔａｎｔ  Ｌｉｎｅａｒ  Ｖｅｌｏｃｉｔｙ）方式で記録されている。なお、先にも述べたように、スパイラル状の１本のトラックであっても、記録担体の中心から異なった半径位置にある部分に言及する場合には、簡単のために複数のトラックとして扱う。
【００５０】
記録担体１０１上のトラック１０２に記録されている情報のフォーマットについて、図２（ａ）〜（ｄ）を参照して詳細に説明する。
【００５１】
図２（ａ）はトラックフォーマット図である。トラック１０２には、それぞれが同じフォーマットで情報を記録している複数のセクタ（Ｓ１、Ｓ２、Ｓ３、……、Ｓｎ、Ｓｎ＋１、……）が連続して形成されている。
【００５２】
図２（ｂ）は、１つのセクタ（例えば、第１番目のセクタＳ１）のフォーマットを示す。１セクタは計６０のフレームＦＲ０１〜ＦＲ６０よりなり、それぞれのフレームは、再生時にフレーム同期をとるためのリシンクマーク領域ＲＳ０１〜ＲＳ６０、フレーム位置を識別するためのフレームアドレス領域ＦＡ０１〜ＦＡ６０、情報領域ＩＮＦ０１〜ＩＮＦ６０、及びポストアンブル領域ＰＡ０１〜ＰＡ６０より構成されている。リシンクマーク領域ＲＳ０１〜ＲＳ６０のそれぞれ及びフレームアドレス領域ＦＡ０１〜ＦＡ６０のそれぞれの容量は、いずれも情報領域ＩＮＦ０１〜ＩＮＦ６０のデータに換算して１Ｂ（バイト）の長さである。また、情報領域ＩＮＦ０１〜ＩＮＦ６０のそれぞれの容量は４０Ｂである。
ポストアンブル領域ＰＡ０１〜ＰＡ６０には多数のピットを設けてもよいが、典型的には１〜２個のピットを形成する。例えば、ランレングスリミテッドコードとして知られているＲＬＬ（１，７）変調方式（８ビットのデータを１２チャンネルビットに変換するコーディング）で情報を記録する場合には、チャンネルクロックをＴとすると、ピットの長さ、あるいはピット間のスペース間隔は、２Ｔから１１Ｔとなる。しかし、ポストアンブル領域ＰＡ０１〜ＰＡ６０には、それぞれの長さが２Ｔであるピットとスペースとの組合せを少なくとも一組設ければよい。
【００５３】
あるいは、ポストアンブル領域ＰＡ０１〜ＰＡ６０のピットは、情報領域ＩＮＦ０１〜ＩＮＦ６０に記録されている情報の読み取りを容易にするためのものであるので、その形成を省略することができる。
【００５４】
リシンクマーク領域ＲＳ０１〜ＲＳ６０に形成されるピットは、フレームに含まれる他の領域では出現しないようなパターンで形成される。例えば、先述のＲＬＬ（１，７）変調方式の場合には、１２Ｔ以上の間隔でピットが形成されるように予め決定されている。
【００５５】
図２（ｃ）は、ひとつの情報領域、例えば第１フレームＦＲ０１の情報領域ＩＮＦ０１のフォーマットを示す。情報容量が４０Ｂである第１フレームＦＲ０１の情報領域ＩＮＦ０１には、図２（ｃ）に示すように、セクタの位置を識別するための１６Ｂのセクタアドレス（ヘッダ）を記録するセクタアドレス領域１０、管理情報が記録されている１６Ｂのサブコード領域２０、及び８Ｂのユーザデータを記録するデータ領域３０が設けられる。
【００５６】
図２（ｄ）は、セクタアドレス領域１０のフォーマットを示す。セクタアドレス領域１０はさらに第１の領域１０ａ及び第２の領域１０ｂに分かれ、それぞれに、ＣＲＣ符号が付与されたアドレス番号ＩＤ０またはＩＤ１が記録されている。すなわち、アドレス番号は、セクタアドレス領域１０の第１及び第２の領域１０ａ及び１０ｂに２重に記録されている。アドレス番号としては、具体的には、内周から外周に向けて連続して付与されたセクタ番号が使用される。
【００５７】
第１フレームＦＲ０１の情報領域ＩＮＦ０１のうちでセクタアドレス（ヘッダ）領域１０及びサブコード領域２０を除く８Ｂ分のデータ領域３０、ならびに第２〜６０フレームＦＲ０２〜ＦＲ６０の情報領域ＩＮＦ０２〜ＩＮＦ６０に記録されている情報には、後に詳述するように、データをランダム化するためにスクランブルがかけられている。図２（ｂ）においては、スクランブルの対象となる領域をＸ１〜Ｘ６０として示している。
【００５８】
図３は、１セクタに記録される計２４００Ｂ（１フレームあたり４０Ｂ×６０フレーム）の情報の配列パターンの輪郭を、パリティー領域が付加された後の誤り訂正符号（以下、ＥＣＣと称する）として模式的に示す。
【００５９】
１セクタに記録されるオリジナルデータの容量は、ユーザデータ２０４８Ｂにセクタアドレス１６Ｂ及びサブコード１６Ｂを加算した計２０８０Ｂである。ただし、ここでは、「オリジナルデータ」とは符号語に変換される前のデータを意味するものとする。これらのデータは１Ｂ（１Ｂは８ｂｉｔ）単位でインターリーブされて、行方向１０４Ｂ、列方向２０Ｂのパターンでオリジナルデータ領域４０に配列される。具体的には、図３において、オリジナルデータ領域４０の中に実線で示されたサブ領域４０−１〜４０−１０４に、オリジナルデータが順に配置される。
【００６０】
このように配置されたオリジナルデータ領域４０のデータに対して、以下のようにしてパリティー領域５０が付加される。すなわち、図３において、オリジナルデータ領域４０の中に点線で示されたサブ領域４０ａ〜４０ｔのそれぞれについて、そのサブ領域（例えば４０ａ）を構成する１０４Ｂの情報点に対して、１６Ｂの検査点を付与する。すなわち、符号長１２０Ｂ、検査点数１６Ｂ、情報点数１０４ＢのＥＣＣが形成される。図３では、それぞれのサブ領域４０ａ〜４０ｔに対して付与された検査点は、パリティー領域５０の中に点線で示されたサブ領域５０ａ〜５０ｔとして示されている。これによって、オリジナルデータ領域４０に相当していたオリジナルデータ２０４８Ｂに３２０Ｂのパリティー領域５０が付与されて符号語領域６０を形成して、１セクタの情報領域の容量は計２４００Ｂになる。上記のようにして構成される訂正符号は、リードソロモン符号の一種であって、冗長度１６のＬＤＣ（Ｌｏｎｇ  Ｄｉｓｔａｎｃｅ  Ｃｏｄｅ  ｗｉｔｈ  ａ  ｄｅｇｒｅｅ  ｏｆ  ｒｅｄｕｎｄａｎｃｙ  ｏｆ  １６）と呼ばれている。
【００６１】
１セクタの情報を記録する順番について、図４を参照して説明する。図４は、記録担体１０１上に記録される記録データのフォーマットを模式的に示す。
【００６２】
第１フレームＦＲ０１を例にとると、図４の矢印４０１の方向に、リシンクマーク領域ＲＳ０１、フレームアドレス領域ＦＡ０１、情報領域ＩＮＦ０１及びポストアンブル領域ＰＡ０１の順に配列される。情報領域ＩＮＦ０１には、既に述べたように１６Ｂのセクタアドレス、１６Ｂのサブコード、及び８Ｂのユーザデータが並べられる。
【００６３】
一つのフレームはそれぞれ２つの列からなるが、第１フレームＦＲ０１に相当する２つの列のうちの第１の列には、リシンクマーク領域ＲＳ０１、フレームアドレス領域ＦＡ０１、及び計４０Ｂの情報領域ＩＮＦ０１のうちのセクタアドレス領域１０とサブコード領域２０の４Ｂ分が並べられる。第１フレームに相当する２つの列のうちの第２の列には、サブコード領域２０の残り１２Ｂとユーザデータ領域３０、及びポストアンブル領域ＰＡ０１が並べられる。
【００６４】
以下、第２〜第６０フレームＦＲ０２〜ＦＲ６０の情報も、同様のパターンで記録担体１０１上に記録される。ただし、第２〜第６０フレームＦＲ０２〜ＦＲ６０の情報領域ＩＮＦ０２〜ＩＮＦ６０にはセクタアドレス領域１０及びサブコード領域２０はなく、すべてユーザデータが記録されている。
【００６５】
さらに、図３を参照して説明したように、実際に記録担体に記録される情報は、オリジナルのデータ２０８０Ｂ、ならびにそれに対して付加されたパリティー領域の検査点データ３２０Ｂである。図４に示す例では、第１〜第５２フレームＦＲ０１〜ＦＲ５２が、図３のオリジナルデータ領域４０に対応してオリジナルデータを記録する。一方、第５３〜第６０フレームＦＲ５３〜ＦＲ６０が、図３のパリティー領域５０に対応する。
【００６６】
図５を参照して、情報の記録について説明する。図５は、記録担体１０１上に記録する記録データを作成するフォーマッタ装置５００のブロック図である。
【００６７】
ユーザデータは、磁気ディスク等のユーザデータ送出装置５０１からアドレス付与回路５０２に送られる。アドレス付与回路５０２は、受け取ったユーザデータを２０４８Ｂ毎に区分して、それぞれの先頭にセクタアドレス及びサブコードの情報３２Ｂを付与し、ＥＣＣ変換回路５０３に送る。ＥＣＣ変換回路５０３は、送られてきたデータを図３に示すように配列して、符号語に変換する。そして、変換された符号語のパターンの第１列（図４の左側）の上から、順次、スクランブル回路５０４にデータを転送する。スクランブル回路５０４はデータにスクランブル処理を施してランダム化するものであり、セクタアドレス及びサブコードに相当する３２Ｂを除いたデータをスクランブルし、変調回路５０５に送る。変調回路５０５は、定められている変調方式でデータを変調して、フレームフォーマッタ回路５０６に送る。フレームフォーマッタ回路５０６は、送られて来るデータを４０Ｂ単位毎に区分して、その先頭にリシンクパターン及びフレームアドレスを付与し、さらにそれぞれの末尾にポストアンブル信号を加えて、記録データのフォーマットが完成する。完成した記録データは、記録装置（不図示）に送られる。
【００６８】
記録装置は、フォトレジスト層が設けられている原盤を、線速度が一定となるように半径位置に反比例した回転数で回転させる。そして、アルゴンレーザあるいはクリプトンレーザ等の光源から発生する光ビームの強度を、フレームフォーマッタ回路５０６よりの信号に応じて強弱に変調する。変調された光ビームで回転している原盤を照射して、信号に応じたパターンのピットを形成して、情報を記録する。なお、記録装置については公知であり、その詳細な説明は省略する。
スクランブル回路５０４の構成について、図６のブロック図を参照して説明する。
【００６９】
スクランブル回路５０４は、アドレス読み取り回路６０１、初期値発生回路６０２、Ｍ系列発生器６０３、計数回路６０４及び排他的論理和回路（２を法とする和回路）６０５より構成される。
【００７０】
アドレス読み取り回路６０１は、ＥＣＣ変換回路５０３より送られて来るデータからセクタアドレス番号を読み取り、初期値発生回路６０２に読み取ったアドレス番号を送る。このアドレス番号は、スクランブル化に際して識別情報として使用される。初期値発生回路６０２は、受け取ったアドレス番号に応じた初期値を発生して、Ｍ系列発生器６０３に送る。排他的論理和回路６０５は、ＥＣＣ変換回路５０３の信号とＭ系列発生器６０３の信号との排他的論理和に従った信号を順次出力する。
【００７１】
計数回路６０４は、ＥＣＣ変換回路５０３より送られて来たデータ量を計測するものであって、セクタの先頭から３２Ｂ分の情報の送出が完了した時点で、スクランブル動作の開始信号を発生してＭ系列発生器６０３に送る。すなわち、計数回路６０４は、スクランブルを開始するタイミングを示すタイミング信号の発生回路として機能する。Ｍ系列発生器６０３は、この開始信号を受け取るまでは零を出力している。従って、計数回路６０４が開始信号を発生するまでにＥＣＣ変換回路５０３より送られてくるデータは、スクランブルされずにそのまま排他的論理和回路６０５から送出される。一方、計数回路６０４が開始信号を発生すると、Ｍ系列発生器６０３はそれに応答して初期値発生回路６０２よりの初期値に従ったランダム化信号を発生する。このランダム化信号は、スクランブルのための符号として使用される。したがって、排他的論理和回路６０５からは、ＥＣＣ変換回路５０３から送られてくる信号がスクランブルされて出力される。
【００７２】
Ｍ系列発生器６０３の構成について、図７のブロック図と共に説明する。
【００７３】
Ｍ系列発生器６０３に含まれるフリップフロップ回路ＦＦ０〜ＦＦ１７は、全体で１８ビットの帰還シフトレジスタを構成している。すなわち、フリップフロップ回路ＦＦ０及びＦＦ７のそれぞれ出力の排他的論理和を排他的論理和回路７０１で得て、これをフリップフロップ回路ＦＦ１７の入力としている。アドレス読み取り回路６０１は、連続したセクタ番号として付与されているアドレスを読み取って、下位４ビットから７ビット（Ａ３〜Ａ６）の値を初期値発生回路６０２に送る。初期値発生回路６０２は、受け取ったこの４ビットの値に応じて、初期値を発生する。下位４ビット目の値Ａ３は８セクタ毎に変化するので、これにより、初期値発生回路６０２は８セクタ毎に変化する初期値をＭ系列発生器６０３に送る。計数回路６０４より開始信号が送られてくると、初期値発生回路６０２からの初期値が、Ｍ系列発生器６０３を構成するフリップフロップ回路ＦＦ０〜ＦＦ１７に設定される。
【００７４】
図７のＭ系列発生器６０３は、シフトレジスタ系列発生器の一種であって、最大長周期系列発生器とも呼ばれる。この発生器６０３より発生される系列を、最大長周期系列、あるいはＭ系列と呼ぶ。図７のＭ系列発生器６０３は、次式で表される１８次の多項式を生成する。
【００７５】
Ｈ（Ｘ）＝Ｘ１８＋Ｘ７＋１
図７のＭ系列発生器６０３は、シフトレジスタの段数が１８であるから、その周期はｎ＝２１８−１、すなわち約３２７６８Ｂである。従って、初期値を適当に選ぶことによって、３２７６８Ｂまでのデータを完全にランダム化することができる。
【００７６】
初期値の設定について、以下に説明する。
【００７７】
記録担体１０１の直径を１２０ｍｍとして、そのうちの半径２５ｍｍ〜５８ｍｍの部分を、トラックを形成する情報トラック領域とする。このとき、トラックに記録される情報の線密度を０．３μｍ／ビット、リシンクマーク、フレームアドレス及びポストアンブルを含めた１セクタあたりの全情報容量を２５３０Ｂとすると、１セクタの長さは約６．１ｍｍとなる。この長さは、記録担体１０１の内周部では１周あたり約２６セクタ、外周では１周あたり約６０セクタがそれぞれ形成されることを意味する。先に図７を参照して説明したように、初期値発生回路６０２は、アドレス読み取り回路６０１で読み取ったアドレスの下位４ビット〜７ビット（Ａ３〜Ａ６）の値に応じて初期値を変化させるので、Ｍ系列発生器６０３に与えられる初期値は、下位４ビット目の値が変わる毎に、すなわち８セクタ毎に変わる。
【００７８】
例えば、Ｍ系列発生器６０３の周期を１６等分した値を、アドレス読み取り回路６０２で読み取ったアドレスの下位４ビット〜７ビット（Ａ３〜Ａ６）の値に対応させ、アドレスに応じてＭ系列発生器６０３をプリセットする場合、同じデータを記録しても、１２８セクタ（＝１６×８）に渡ってデータがランダム化される。記録担体１０１の一周当りのセクタ数は、最大で６０セクタ程度（外周部での値である）であるので、上記のように１２８セクタにわたってデータがランダム化されれば、隣接するトラック間における記録信号の相関は極めて低いものとなる。
【００７９】
先に述べたように、セクタアドレス領域及びサブコード領域のデータには、スクランブルをかけない。また、リシンクパターン領域やポストアンブル領域は、スクランブル化処理の後に付与されるので、やはりスクランブル化されていない。したがって、これらの領域が隣接するトラックの半径方向に隣あって存在すると、相関が強くなる。しかし、上記領域の長さは、最も情報量が多いセクタアドレス領域及びサブコード領域の合計でも３２Ｂであり、その長さは１００μｍ以下であるので、問題とはならない。
【００８０】
なお、セクタアドレス領域にスクランブルをかけないのは、記録されている情報の再生時にスクランブルされている情報から元の情報を得る、すなわちデスクランブルするときに、初期値を知る必要であるからである。一方、サブコード領域に記録されているのは、記録されている情報が音声情報であるか、画像情報であるかを示す種別情報等であり、デスクランブルをすることなく短い時間で情報を読み取るためにスクランブルをかけていない。しかし、サブコード領域にスクランブルをかけてもよい。この場合、サブコード領域の読み取りに多少の時間がかかる以外は、何等問題は発生しない。
【００８１】
次に、図８を参照して、記録担体１０１上に記録されている情報の再生について説明する。
【００８２】
図８は、本発明の第１の実施形態における光学式情報再生装置８００の一部のブロック図である。光学式情報再生装置８００は、復調回路８０１、デスクランブル回路８０２及びエラー訂正回路８０３を含む。
【００８３】
復調回路８０１は、光ヘッドを用いて記録担体から再生された再生信号を復調し、この復調した信号をデスクランブル回路８０２に送る。デスクランブル回路８０２は、受け取った復調信号からアドレスを読み取って、セクタアドレス領域及びサブコード領域の３２Ｂのデータを除いた残りのデータをデスクランブルし、エラー訂正回路８０３に送る。エラー訂正回路８０３は、デスクランブル回路８０２より送られてくる情報にエラーが含まれている場合にはそのエラーを訂正し、訂正した読み取りデータを送出する。
【００８４】
デスクランブル回路８０２の構成について、図９のブロック図を参照して説明する。
【００８５】
デスクランブル回路８０２は、基本的に図６のスクランブル回路５０４と同じ構成を有しており、アドレス読み取り回路９０１、初期値発生回路９０２、Ｍ系列発生器９０３、計数回路９０４及び排他的論理和回路９０５より構成される。
アドレス読み取り回路９０１は、復調回路８０１より送られて来る復調信号から、デスクランブル化に際して識別情報として利用するセクタアドレス番号を読み取り、初期値発生回路９０２にアドレス番号を送る。初期値発生回路９０２は、受け取ったアドレス番号に応じた初期値を発生して、Ｍ系列発生器９０３に初期値を送る。
【００８６】
計数回路９０４は、復調回路８０１より送られて来たデータ量を計測するものであって、セクタの先頭から３２Ｂ分の情報の送出が完了した時点で、デスクランブル動作の開始信号を発生してＭ系列発生器９０３に送る。すなわち、計数回路９０４は、デスクランブルを開始するタイミングを示すタイミング信号の発生回路として機能する。Ｍ系列発生器９０３は、この開始信号を受け取るまでは零を出力している。従って、計数回路９０４が開始信号を発生するまでに復調回路８０１より送られてくるデータは、デスクランブルされずにそのまま排他的論理和回路９０５から送出される。一方、計数回路９０４が開始信号を発生すると、Ｍ系列発生器９０３はそれに応答して初期値発生回路９０２よりの初期値に従ったランダム化信号を発生する。このランダム化信号は、デスクランブルのための符号として使用される。したがって、排他的論理和回路９０５からは、復調回路８０１から送られてくる信号がデスクランブルされて出力される。
【００８７】
Ｍ系列発生器９０３の構成を図１０に示すが、図７に示したＭ系列発生器６０３と同じである。
【００８８】
すなわち、Ｍ系列発生器９０３に含まれるフリップフロップ回路ＦＦ０〜ＦＦ１７は、全体で１８ビットの帰還シフトレジスタを構成している。すなわち、フリップフロップ回路ＦＦ０及びＦＦ７のそれぞれ出力の排他的論理和を排他的論理和回路７０１で得て、これをフリップフロップ回路ＦＦ１７の入力としている。アドレス読み取り回路９０１は、連続したセクタ番号として付与されているアドレスを読み取って、下位４ビットから７ビット（Ａ３〜Ａ６）の値を初期値発生回路６０２に送る。初期値発生回路９０２は、受け取ったこの４ビットの値に応じて、初期値を発生する。下位４ビット目の値Ａ３は８セクタ毎に変化するので、これにより、初期値発生回路９０２は８セクタ毎に変化する初期値をＭ系列発生器９０３に送る。計数回路９０４より開始信号が送られてくると、初期値発生回路９０２からの初期値が、Ｍ系列発生器９０３を構成するフリップフロップ回路ＦＦ０〜ＦＦ１７に設定される。
【００８９】
（第２の実施形態）
以下、図１１〜１４を参照して、本発明の第２の実施形態を説明する。
【００９０】
上記で説明した本発明の第１の実施形態におけるスクランブル処理は、記録担体１０１から情報を読み取る際に、復調を行えばアドレスを読み取ることができ、従って、高速な検索が行える。しかしながら、アドレスが読み取れない場合には初期値が判らないので、デスクランブルをして元のデータを得ることができない。従って、高いアドレスの読み取りの信頼性が要求される。しかし、一般に、記録担体１０１では、ドロップアウト、あるいはゴミやほこり等の付着等の原因によって、常に全てのアドレスを読み取ることが困難である。
【００９１】
本発明の第２の実施形態では、ドロップアウト、ゴミやほこり等の付着があってもアドレスの読み取りが正確にでき、デスクランブルを確実に行えるスクランブル方式を説明する。
【００９２】
図１１は、本発明の第２の実施形態にしたがって、記録担体１０１上に記録する記録データを作成するフォーマッタ装置１１００のブロック図である。尚、図５に示した第１の実施形態と同じ構成要素には同一の番号を付与し、その詳細な説明を省略する。
【００９３】
ユーザデータは、磁気ディスク等のユーザデータ送出装置５０１からアドレス付与回路５０２に送られる。アドレス付与回路５０２は、受け取ったユーザデータを２０４８Ｂ毎に区分して、それぞれの先頭にセクタアドレス及びサブコードの情報３２Ｂを付与し、スクランブル回路１１０１に送る。スクランブル回路１１０１はデータにスクランブル処理を施してランダム化するものであり、セクタアドレス及びサブコードに相当する３２Ｂを除いたデータをスクランブルし、ＥＣＣ変換回路１１０２に送る。ＥＣＣ変換回路１１０２は、送られてきたデータを図３に示すように配列して、符号語に変換する。そして、変換された符号語のパターンの左端の第１列の上から、順次、変調回路５０５にデータを転送する。変調回路５０５は、定められている変調方式でデータを変調して、フレームフォーマッタ回路５０６に送る。フレームフォーマッタ回路５０６は、送られて来るデータを４０Ｂ単位毎に区分して、その先頭にリシンクパターン及びフレームアドレスを付与し、さらにそれぞれの末尾にポストアンブル信号を加えて、記録データのフォーマットが完成する。完成した記録データは、記録装置（不図示）に送られる。
【００９４】
スクランブル回路１１０１の構成について、図１２のブロック図を参照して説明する。
【００９５】
スクランブル回路１１０１は、アドレス読み取り回路１２０１、初期値発生回路１２０２、Ｍ系列発生器１２０３、計数回路１２０４及び排他的論理和回路１２０５より構成される。
【００９６】
アドレス読み取り回路１２０１は、アドレス付与回路５０２より送られて来るデータからセクタアドレス番号を読み取り、初期値発生回路１２０２に読み取ったアドレス番号を送る。初期値発生回路１２０２は、受け取ったアドレス番号に応じた初期値を発生して、Ｍ系列発生器１２０３に送る。排他的論理和回路１２０５は、アドレス付与回路５０２の信号とＭ系列発生器１２０３の信号との排他的論理和に従った信号を順次出力する。
【００９７】
計数回路１２０４は、アドレス付与回路５０２より送られて来たデータ量を計測するものであって、セクタの先頭から３２Ｂ分の情報の送出が完了した時点で、スクランブル動作の開始信号を発生してＭ系列発生器１２０３に送る。Ｍ系列発生器１２０３は、この開始信号を受け取るまでは零を出力している。従って、計数回路１２０４が開始信号を発生するまでにアドレス付与回路５０２より送られてくるデータは、スクランブルされずにそのまま排他的論理和回路１２０５から送出される。一方、計数回路１２０４が開始信号を発生すると、Ｍ系列発生器１２０３はそれに応答して初期値発生回路１２０２よりの初期値に従ったランダム化信号を発生する。したがって、排他的論理和回路１２０５からは、アドレス付与回路５０２から送られてくる信号がスクランブルされて出力される。
【００９８】
記録担体から情報を読み取る場合には、復調及びエラー訂正を行った後にアドレスを読み取り、読み取ったアドレスに基づいてデスクランブルを行なって、元の情報を得る。これについて、図１３を参照して説明する。
【００９９】
図１３は、本発明の第２の実施形態における光学式情報再生装置１３００の一部のブロック図である。
【０１００】
光学式情報再生装置１３００は、復調回路１３０１、デスクランブル回路１３０２及びエラー訂正回路１３０３を含む。
【０１０１】
復調回路１３０１は、光ヘッドを用いて記録担体から再生された再生信号を復調し、この復調した信号をエラー訂正回路１３０２に送る。エラー訂正回路１３０２は、受け取った復調信号にエラー訂正を施し、訂正したデータをデスクランブル回路１３０３に送る。デスクランブル回路１３０３は、受け取ったエラー訂正済みのデータからアドレスを読み取って、セクタアドレス領域及びサブコード領域の３２Ｂのデータを除いた残りのデータをデスクランブルして、読み取りデータを送出する。
【０１０２】
デスクランブル回路１３０３の構成について、図１４のブロック図を参照して説明する。
【０１０３】
デスクランブル回路１３０３は、基本的に図１２のスクランブル回路１１０１と同じ構成を有しており、アドレス読み取り回路１４０１、初期値発生回路１４０２、Ｍ系列発生器１４０３、計数回路１４０４及び排他的論理和回路１４０５より構成される。
【０１０４】
アドレス読み取り回路１４０１は、エラー訂正回路１３０２より送られて来る信号からセクタアドレスの番号を読み取り、初期値発生回路１４０２にアドレス番号を送る。初期値発生回路１４０２は、受け取ったアドレス番号に応じた初期値を発生して、Ｍ系列発生器１４０３に初期値を送る。
【０１０５】
計数回路１４０４は、エラー訂正回路１３０２より送られて来たデータ量を計測するものであって、セクタの先頭から３２Ｂ分の情報の送出が完了した時点で、デスクランブル動作の開始信号を発生してＭ系列発生器１４０３に送る。Ｍ系列発生器１４０３は、この開始信号を受け取るまでは零を出力している。従って、計数回路１４０４が開始信号を発生するまでにエラー訂正回路１３０２より送られてくるデータは、デスクランブルされずにそのまま排他的論理和回路１４０５から送出される。一方、計数回路１４０４が開始信号を発生すると、Ｍ系列発生器１４０３はそれに応答して初期値発生回路１４０２よりの初期値に従ったランダム化信号を発生する。したがって、排他的論理和回路１４０５からは、エラー訂正回路１３０２から送られてくる信号がデスクランブルされて出力される。
以上説明したように、本発明の第２の実施形態では、エラー訂正を行った後にアドレスを読み取る。このため、アドレスの読み取りに要する時間が若干長くなるものの、ドロップアウト等によって情報にエラーが生じても正しく訂正される。従って、極めて信頼性よくアドレスを読み取ることができ、確実にデスクランブルすることができる。ただし、エラー訂正及びデスクランブルに先駆けて、あらかじめ１セクタの情報を一旦メモリにすべて記憶させる必要があり、そのために１セクタの情報に相当する容量を有するメモリが必要である。これに対して第１の実施形態では、そのような大容量のメモリは必要とされない。
【０１０６】
情報を記録する際には、スクランブルをかけた後にＥＣＣ変換する。そのため、図３に示したパリティー領域５０にはスクランブルがかからない。しかし、すでにスクランブル処理されてランダム化されたデータを対象にパリティー領域５０が作成されるので、結果としてパリティー領域５０もランダム化される。従って、Ｍ系列の周期を短くすることができ、Ｍ系列発生器を簡単にすることができる。
【０１０７】
以上に説明してきた第１及び第２の実施形態では、等周速で記録担体を回転させて情報を記録するＣＬＶ記録方式の場合について説明している。しかしながら、本発明は、それに何等限定されるものでない。
【０１０８】
例えば、等角速度で記録担体を回転させて情報を記録するＣＡＶ（Ｃｏｎｓｔａｎｔ  Ａｎｇｕｌａｒ  Ｖｅｌｏｃｉｔｙ）記録方式、あるいは、記録担体を複数のゾーンに分割して各ゾーンの最内周のトラックの情報線密度がほぼ一定となるように記録するＺＣＡＶ（Ｚｏｎｅｄ  ＣＡＶ）記録方式の場合には、一般的にアドレス番号は、記録担体の一周を１トラックとして半径方向に順次番号を付与するトラック番号と、各トラックに含まれる各セクタに周方向に順次番号を付与するセクタ番号とから構成される。この場合、セクタが半径方向に並んで配置されるので、隣接したトラックは、同一のセクタ番号を有することになる。そこで、トラック番号に基づいて初期値を決定し、この初期値を基にランダム化信号を発生してスクランブルする。これによって、隣接トラック間での信号の相関を低減することができる。あるいは、トラック番号の最下位桁ビットとセクタ番号とに基づいて初期値を決定して、スクランブルしてもよい。
【０１０９】
１セクタの情報容量は、上述した２４００Ｂに制限されない。１フレームの情報容量は、上述の４０Ｂに制限されない。また、フレームアドレスは、省略することができる。
【０１１０】
また、Ｍ系列発生器は、上記で説明した１８段のシフトレジスタによって構成されるものに限定されるものでない。Ｍ系列発生器の段数が１８段より増加すれば周期が長くなり、１８段より少なくすれば周期が短くなる。これらの段数は、フォーマットあるいは情報密度等によって、任意に選択することができる。
【０１１１】
また、Ｍ系列発生器の初期値の変更は、上述した８セクタ毎に限られるものではない。例えば、１セクタ毎あるいは１６セクタ毎に変更される構成であってもよい。具体的には、最内周のトラックの一周当りのセクタ数より小さい数を単位にして初期値が変わる構成であればよい。このように初期値を変更することによって、同じデータが連続的に記録される場合でも、隣接するトラック間での記録情報の相関性は低減される。ただし、Ｍ系列発生器の初期値を２ｎ個（ｎは正の整数）のセクタ毎に変えるようにすれば、初期値発生回路の構成がより簡単になる。
【０１１２】
さらに、スクランブル回路あるいはデスクランブル回路にて使用できる回路は、上述のＭ系列発生器に限定されるものでない。初期値に対して所定の規則でランダム化信号を発生するものであれば、他の構成であってもよい。
【０１１３】
また、エラー訂正符号は、積符号、あるいはコンパクトディスクで用いられているＣＩＲＣ（Ｃｒｏｓｓ  Ｉｎｔｅｒｌｅａｖｅ  Ｒｅｅｄ−Ｓｏｌｏｍｏｎ  ｃｏｄｅ）であってもよい。さらに、初期値を決定する信号は位置を識別できる識別情報であればよく、例えば、時間を示すタイムコードでもよい。
【０１１４】
【発明の効果】
以上に説明したように、本発明の光学式情報記録担体、光学式情報記録方法、光学式情報記録装置、及び光学式情報再生装置では、円盤状の基板の表面にスパイラル状または同心円状に形成された少なくともトラックに含まれる複数のセクタに、セクタ位置を識別する識別情報の値に応じた初期値に基づいてスクランブルされた情報を記録する。これによって、スクランブル処理が施されてランダム化されたデータが記録担体上に記録される。隣接するトラック間にはお互いに異なったデータが記録されることになるので、それらの間での信号の相関が低減される。このため、クロストークの影響がランダム化されてトラックずれ信号に与える影響が低減され、トラックピッチを狭めても安定したトラッキング制御を行うことができる。
【０１１５】
情報のスクランブル化に際して使用する識別情報としては、例えば、複数のセクタのそれぞれに付与されているセクタ番号を使用することができる。セクタ番号は、データの記録に際して必然的に必要になるものであるので、識別情報として容易に使用できる。また、識別情報を生成するための回路などをあらためて設ける必要がない。
【０１１６】
スクランブル化の際の初期値を周方向に連続する所定数のセクタ毎に変えれば、同じ内容のデータを連続して記録する場合でも、スクランブル処理が施されてランダム化されたデータが記録担体上に記録される。
【０１１７】
初期値を２ｎ個（ｎは正の整数）のセクタ毎に変えれば、初期値発生回路の構成を簡略化できる。
【０１１８】
初期値を、最内周トラックの１周あたりのセクタ数よりも少ない数のセクタ毎に変えれば、最内周部に同じ内容の情報が連続的に記録される場合であっても、実際に記録されるデータが確実にランダム化される。
【０１１９】
スクランブルされた情報の記録にあたって、まず情報を複数のセクタに対応して分割し、分割された情報のそれぞれを識別情報の値に応じた初期値に基づいてスクランブル化した後に、識別情報とスクランブルされた情報とを誤り訂正可能な符号語に変換してもよい。この場合には、符号語に変換された情報が複数のセクタのそれぞれに記録される。これにより、エラー訂正を行った後にアドレスを読み取るので、アドレスの読み取りに要する時間が若干長くなるものの、ドロップアウト等によって情報にエラーが生じても正しく訂正される。従って、極めて信頼性よくアドレスを読み取ることができ、確実にデスクランブルすることができる。
【０１２０】
あるいは、スクランブルされた情報の記録にあたって、情報を複数のセクタに対応して分割した後に、スクランブル処理に先立って識別情報と分割された情報とを誤り訂正可能な符号語に変換し、得られた符号語のうち識別情報を除いた部分を、それぞれの識別情報の値に応じた初期値に基づいてスクランブル化してもよい。これにより、光学式情報記録担体から情報を読み取る際に、復調を行うだけでアドレスを読みとることができ、従って高速な検索が行え、アドレスを読みとるのに大容量のメモリを必要としない。
【図面の簡単な説明】
【図１】光学式情報記録担体の概略平面図である。
【図２】光学式情報記録担体に記録される情報のフォーマットを示す図であり、それぞれ、（ａ）は１つのトラックのフォーマット、（ｂ）は１つのセクタのフォーマット、（ｃ）は第１フレームの情報領域のフォーマット、（ｄ）はセクタアドレスのフォーマットを示す。
【図３】１セクタに記録される計２４００Ｂの情報の配列パターンの輪郭を、パリティー領域が付加された後の誤り訂正符号として模式的に示す図である。
【図４】光学式情報記録担体上に記録されている記録データのフォーマットを模式的に示す図である。
【図５】本発明の第１の実施形態に従って記録担体に記録する記録データを作成するフォーマッタ装置のブロック図である。
【図６】図５に示すスクランブル回路のブロック図である。
【図７】図６に示すスクランブル回路に含まれるＭ系列発生器のブロック図である。
【図８】本発明の第１の実施形態に従って記録担体に記録されたデータを再生する再生装置のブロック図である。
【図９】図８に示すデスクランブル回路のブロック図である。
【図１０】図９に示すデスクランブル回路に含まれるＭ系列発生器のブロック図である。
【図１１】本発明の第２の実施形態に従って記録担体に記録する記録データを作成するフォーマッタ装置のブロック図である。
【図１２】図１１に示すスクランブル回路のブロック図である。
【図１３】本発明の第２の実施形態に従って記録担体に記録されたデータを再生する再生装置のブロック図である。
【図１４】図１３に示すデスクランブル回路のブロック図である。
【符号の説明】
１０  セクタアドレス領域
２０  サブコード領域
３０  データ領域
４０  オリジナルデータ領域
５０  パリティー領域
６０  符号語領域
１０１  記録担体
１０２  トラック
５００、１１００  フォーマッタ装置
５０１  ユーザデータ送出装置
５０２  アドレス付与回路
５０３、１１０２  ＥＣＣ変換回路
５０４、１１０１  スクランブル回路
５０５  変調回路
５０６  フレームフォーマッタ回路
６０１、９０１、１２０１、１４０１  アドレス読み取り回路
６０２、９０２、１２０２、１４０２  初期値発生回路
６０３、９０３、１２０３、１４０３  Ｍ系列発生器
６０４、９０４、１２０４、１４０４  計数回路
６０５、７０１、９０５、１２０５、１４０５  排他的論理和回路
８００、１３００  再生装置
８０１、１３０１  復調回路
８０２、１３０３  デスクランブル回路
８０３、１３０２  エラー訂正回路
【図１】
0003632911.tif 000002
【図２】
0003632911.tif 000003
【図３】
0003632911.tif 000004
【図４】
0003632911.tif 000005
【図５】
0003632911.tif 000006
【図６】
0003632911.tif 000007
【図７】
0003632911.tif 000008
【図８】
0003632911.tif 000009
【図９】
0003632911.tif 000010
【図１０】
0003632911.tif 000011
【図１１】
0003632911.tif 000012
【図１２】
0003632911.tif 000013
【図１３】
0003632911.tif 000014
【図１４】
0003632911.tif 000015